【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
開いた状態と閉じた状態の間で可動な傘であって、
ａ．複数の支持腕と及びそれに付属した複数の梁を備えた傘体骨組みであって、前記複数の支持腕には、それぞれ、前記支持腕の長さを変化させるように、前記支持腕に対して摺動可能に構成された摺動支柱が設けられているものと、
ｂ．前記傘体骨組みを支持するように構成された中央背骨と、
ｃ．前記傘体骨組みに結合され、前記傘体骨組みを覆うように構成された主傘体であって、前記主傘体は、前記傘体骨組みに最も近い内面と、前記傘体骨組みから離れた外面を有するものと、
ｄ．前記傘が開いた状態において、前記傘体骨組みに対して前記主傘体に張力を加え、前記傘が閉じた状態に移動可能なように、前記傘体骨組みに対する前記主傘体の張力を開放するように構成された張力機構と、
ｅ．前記中央背骨に沿って垂直に摺動し、前記支持腕を支持するように構成された第１摺動支持体であって、前記第１摺動支持体の動きは、前記傘体骨組み及び前記主傘体を前記開いた状態から前記閉じた状態に回転させ、その際、前記主傘体の内面のみが外側に位置するように前記主傘体が裏返しに折りたたまれ、また前記閉じた状態から前記開いた状態に回転させるものと、
ｆ．前記中央背骨に沿って垂直に摺動し、前記梁を支持するように構成された第２摺動支持体であって、前記第２摺動支持体の動きは、前記支持腕の長さを変化させ、それによって前記主傘体の直径を変化させるように、前記摺動支柱を前記支持腕に対して摺動させるものと、
ｇ．前記中央背骨に沿って垂直に摺動し、前記張力機構として作用するように構成された第３摺動支持体と、
ｈ．前記中央背骨に沿って垂直に摺動し、前記主傘体の開閉を容易にするために前記第１及び第２摺動支持体の間の動きを生じさせる第４摺動支持体とを備え、
前記摺動支持体の少なくとも１つには、これらの摺動支持体が一体的に動かしたり、必要に応じて個別に動かしたりできるように解除されるように、係止及び解除機構が設けられていることを特徴とする傘。
【請求項２】
前記傘が閉じた状態のときに、前記第３摺動支持体の前記中央背骨を上昇する動きは、前記第１摺動支持体、前記第２摺動支持体及び前記第４摺動支持体の動きを生じさせることを特徴とする請求項１に記載の傘。
【請求項３】
前記傘が閉じた状態のときに、前記第３摺動支持体の前記中央背骨を上昇する動きは、前記第１摺動支持体が前記第２摺動支持体から離れる動きを生じさせ、その動きは、前記傘体骨組み及び前記主傘体を前記閉じた状態から前記開いた状態に回転させることを特徴とする請求項２に記載の傘。
【請求項４】
前記傘が開いた状態になると、前記第３摺動支持体の前記中央背骨をさらに上昇する動きは、前記第３摺動支持体が前記第４摺動支持体から独立して動くことを可能にするために、前記第３摺動支持体が、前記第３摺動支持体と前記第４摺動支持体の間の動きを開放するように構成されたラッチに接触するまで、前記第１摺動支持体が前記第２摺動支持体から離れる動きを生じさせることを特徴とする請求項３に記載の傘。
【請求項５】
前記第３摺動支持体と前記第４摺動支持体の間の動き及び前記第３摺動支持体と前記第１摺動支持体の間の動きが開放されると、前記第３摺動支持体の前記中央背骨をさらに上昇する動きは、前記摺動支柱を前記各支持腕に対して摺動させ、前記支持腕の長さ及び前記主傘体の直径を増加させる前記第２摺動支持体の動きを生じさせることを特徴とする請求項４に記載の傘。
【請求項６】
前記主傘体の直径が増加すると、前記第３摺動支持体の前記中央背骨をさらに上昇する動きは、前記第２摺動支持体が、前記第３摺動支持体と前記第２摺動支持体の間の動きを開放するように構成されたラッチに接触するまで、前記第２摺動支持体の動きを生じさせ、それによって、前記第３摺動支持体が前記第２摺動支持体の近くまで移動することが可能になることを特徴とする請求項５に記載の傘。
【請求項７】
前記第３摺動支持体と前記第２摺動支持体の間の動き及び前記第２摺動支持体に対する前記第３摺動支持体の動きが開放されると、前記第３摺動支持体の前記中央背骨をさらに上昇する動きは、前記傘体骨組みに対して前記主傘体に張力を掛けるための張力機構として作用することを特徴とする請求項６に記載の傘。
【請求項８】
前記傘が開いて張力が掛けられた状態のときに、前記第３摺動支持体の前記中央背骨を下降する動きは、前記傘体骨組みに対して前記主傘体の張力を開放するための張力機構として作用することを特徴とする請求項１乃至請求項７のいずれか一項に記載の傘。
【請求項９】
前記傘体骨組みに対する前記主傘体の張力が開放されると、前記第２摺動支持体に対して前記第３摺動支持体の前記中央背骨を下降する動きは、前記第３摺動支持体が、前記第３摺動支持体と前記第２摺動支持体の間の動きを再結合させるように構成されたラッチに接触するまで継続することを特徴とする請求項８に記載の傘。
【請求項１０】
前記第３摺動支持体と前記第２摺動支持体の間の相対的な動きが再結合されると、前記第３摺動支持体の前記中央背骨を下降する動きは、前記摺動支柱の長さ及び前記主傘体の直径を減少させるように、前記摺動支柱を前記各支持腕に対して摺動させる前記第２摺動支持体の動きを生じさせることを特徴とする請求項９に記載の傘。
【請求項１１】
前記第３摺動支持体の前記中央背骨を下降する動きは、前記第３摺動支持体が、前記第３摺動支持体と前記第１摺動支持体の間の動き及び前記第３摺動支持体と前記第４摺動支持体の間の動きが再結合されるように構成されたラッチに接触するまで継続することを特徴とする請求項１０に記載の傘。
【請求項１２】
前記第３摺動支持体と前記第１摺動支持体の間の動き及び前記第３摺動支持体と前記第４摺動支持体の間の動きが再結合されると、前記第３摺動支持体の前記中央背骨を下降する動きは、前記第１摺動支持体が前記第２摺動支持体に向かう動きを生じさせ、それによって前記傘体骨組み及び前記主傘体を前記閉じた状態から前記開いた状態に回転させることを特徴とする請求項１１に記載の傘。
【請求項１３】
前記張力機構は、前記複数の支持腕の長さを変化させるように構成されていることを特徴とする請求項１乃至請求項１２のいずれか一項に記載の傘。
【請求項１４】
前記主傘体は前記複数の支持腕に結合されるように構成されていることを特徴とする請求項１乃至請求項１３のいずれか一項に記載の傘。
【請求項１５】
前記主傘体は、前記複数の摺動支柱に結合されるように構成されていることを特徴とする請求項１乃至請求項１３のいずれか一項に記載の傘。
【請求項１６】
前記張力機構は、前記複数の支持腕の長さを変化させ、前記傘体骨組みに対して前記主傘体に張力を掛けるように、前記複数の支持腕に対して前記複数の摺動支柱を摺動させるように構成されていることを特徴とする請求項１乃至請求項１５のいずれか一項に記載の傘。
【手続補正２】
【補正対象書類名】明細書
【補正対象項目名】０００３
【補正方法】変更
【補正の内容】
【０００３】
CN101711621(Trade K K U)は、従来のゴルフスタイルの傘を開示している。そこに記載されている傘は、閉じた状態で濡れた外面が内側になるように、使用後に傘を折りたたまれる。これの問題点は、閉じた傘の長さが開いた傘の長さよりも長いことである。また、この傘体が、記載された動きを完了するためには、その傘を操作するために、標準的な傘体よりもずっと大きな傘体を有し、開いた状態で傘の傘体骨組みに緩く嵌め込まれているだけでなく、それを操作するために人はすごく長い腕を有している必要がある。
【手続補正３】
【補正対象書類名】明細書
【補正対象項目名】０００８
【補正方法】変更
【補正の内容】
【０００８】
前記張力機構は、前記傘体骨組み及び前記主傘体の直径を変化させるように構成されていることが好ましい。
【手続補正４】
【補正対象書類名】明細書
【補正対象項目名】００３９
【補正方法】変更
【補正の内容】
【００３９】
第１摺動支持体３８の近くの主傘体２４にはスリーブ３２が取り付けられており、小傘体２６に至るまで伸びる。選択肢として、傘１０が閉じられた状態のときに、使用後に主傘体２４の外面に所在する水を主傘体２４とスリーブ３２の内側に捕捉することを可能にするために、スリーブ３２の外面に撥水コーティングが施されていてもよい。スリーブ３２のうち小傘体２６に近い部分及び小傘体２６の内側の部分は、漏水を防止するために、吸水材料で形成されていてもよい。小傘体２６には、さらにスリーブ３０が設けられており、これは、漏水に対するさらなるシールを提供するために、傘が閉じられた状態のときに、折りたたまれた主傘体２４の上に拡げられるように構成されていてもよい。選択肢として、スリーブ３０の内側は、漏水に対して吸水性材料で形成され又は吸水性材料でコーティングされていてもよい。傘１０の頂上のエンドキャップ２８は、小傘体２６を支持するように構成されている。選択肢として、かびやバクテリアなどの成長を防止するために、エンドキャップ２８には、スリーブ３２及び小傘体２６の内部に空気を循環させることを可能にするために、符号５４で示すように穴が形成されていてもよい。選択肢として、さらに空気の循環を容易にするために、中央背骨１２は、両端が開口した中空の円筒であってもよい。他の選択肢の１つとして、中央背骨には、その長手方向に沿って穴が形成されていてもよい（図示せず）。傘１０を閉じた状態での最終的な停止位置を提供するために、中央背骨１２にはストッパー５６が設けられている。主傘体２４が開かれたときに、エンドキャップ２８及び小傘体２６がロックされた位置に移動し、閉じられたときに主傘体２４及び傘体骨組みの端部に対してカバーを提供するために、必要に応じて下降することを可能にするために、ラッチ５８及びストッパー６０が中央背骨１２の頂上に設けられている。上で検討したように、中央背骨１２の最も外側の位置に沿って摺動するように構成された４つの摺動支持体３８、４２、４４及び５０が設けられており、それらは、主傘体２４を開閉し、張力を掛けるように作用し、傘が開かれた状態で主傘体２４を支える。ばね６２及び６４が設けられており、両者とも摺動支持体間のスペーサーとして作用し、摺動支持体の動きを開始する手助けをする。他の選択肢として、さらなる漏水対策として、吸水性布の細長い帯を主傘体２４の内側の面に取り付けてもよい。主傘体２４が折りたたまれると、傘の先端の近くには多数の層が存在するため、水はこれらの層の間を移動する。
【手続補正５】
【補正対象書類名】明細書
【補正対象項目名】００４０
【補正方法】変更
【補正の内容】
【００４０】
使用に際して、第１摺動支持体３８を第２摺動支持体４２から離れるように移動させるために紐とプーリーによるシステムが利用されると、主傘体２４は、傘体の乾いた内側の面が外側に位置する閉じた状態から回転を始め濡れた外側の面が外側に位置するように反転する。小傘体２６が開いて、主傘体２４の頂上の上に拡がる。第１摺動支持体３８を第２摺動支持体４２から離す動きを生じさせる第４摺動支持体５０は、第１摺動支持体３８が頂上の停止位置５８に到達し、それ以上動けなくなったときに、停止する。第３摺動支持体（張力支持体）４４は押し上げ続けられ、摺動軸受け４６を梁１８に沿って動かす張力梁２０を押し付け、伸張レバー２２を伸ばす。上記で注目したように、伸張レバー２２は点４８において摺動支柱４０に回転可能に結合されており、摺動支柱４０は支持腕１６に対して摺動するように構成されている。また、摺動支柱４０は、中央背骨１２から最も離れた端部において、主傘体２４に結合されている。この構成は、伸張レバー２２が伸ばされると、摺動支柱４０が中央背骨１２から離れるように支持腕１６に沿って摺動し、その際、摺動支柱４０を介して主傘体２４を支持腕１６に沿って押し付け、基本的に、主傘体２４を支持している支持腕１６の長さを変化させる、ことを意味している。主傘体２４に必要な張力が達成されると、第３摺動支持体（張力支持体）４４は、同様に、傘体骨組みを開いた状態でロックする場所に、ロックされる。選択肢として、このロック機構は、その上に第３摺動支持体（張力支持体）４４が停止されるラッチ５２によっても実現されてもよい。また、選択肢として、ばね６４は、伸張が梁１８によって手助けされるように、第２及び第３摺動支持体４２及び４４を結合するように構成されていてもよい。
【手続補正６】
【補正対象書類名】明細書
【補正対象項目名】００４２
【補正方法】変更
【補正の内容】
【００４２】
図３は、張力機構をより詳細に示す。張力機構は、張力梁２０と、梁１８に沿って動く摺動軸受け４６と、摺動支柱４０を伸張させるための伸張レバー２２を含み、選択肢として、支持腕１６に沿って伸縮可能に動き、主傘体２４を拡げるために張力を加えている段階の間、支持腕１６の長さを効率的に伸ばすように構成されている。伸張レバー２２は、点４８において摺動支柱４０に回転可能に結合されている。主傘体２４も摺動支柱４０に取り付けられている。選択肢として、摺動支柱４０は、筒状の部品であり、支持腕１６の全断面の外側の周りに嵌合されていてもよい。他の選択肢として、摺動支柱４０は、支持腕１６の全断面の一部の外側にのみ嵌合されていてもよい。さらに他の選択肢として、摺動支柱４０を支持腕１６に沿って摺動させることを可能にするために、互いに対応する溝又はチャンネルと突起が摺動支柱４０及び支持腕１６に設けられていてもよい。
【手続補正７】
【補正対象書類名】明細書
【補正対象項目名】００４５
【補正方法】変更
【補正の内容】
【００４５】
図５は、図４に示された係止機構に合体させうる付加的な特徴を示す。この場合、さらなる係止及び解除機構が第２及び第３摺動支持体４２及び４４の間に組み込まれている。この選択肢において、第３摺動支持体１４４に取り付けられたばね腕１７０には、くさび１８４が設けられている。傘が閉じられると、第２摺動支持体１４２は第３摺動支持体１４４に十分近いので、くさび１８４はラッチ１７８の上側に位置している。従って、第３及び第４摺動支持体１４４及び１５０が中央背骨１１２に沿って上向きに移動し、それによって、第１摺動支持体（図示せず）が第２摺動支持体１４２から離れるように移動すると、この付加的な係止機構は、第２摺動支持体１４２をその場に押しとどめ、傘体骨組み及び主傘体２４を確実に開かせる。傘体骨組み及び主傘体２４が開くのを補助するために、図１及び２に示すばね６２及び６４を用いることができる。
【手続補正８】
【補正対象書類名】明細書
【補正対象項目名】００４６
【補正方法】変更
【補正の内容】
【００４６】
図６は、図４及び５に関して説明された係止システムから解放され、互いに結合されていない状態に描かれた摺動支持体２３８、２４２、２４４及び２５０を備えた紐とプーリーによるシステムの第１の選択肢の構成を示す。図６に選択肢において、第４摺動支持体２５０は、傘１０を開くために、第１摺動支持体２３８を中央背骨２１２に沿って上向きに、且つ、第２摺動支持体２４２から離れるように移動させるためのアクチュエータである。傘１０が閉じた状態のときは、４つの摺動支持体２３８、２４２、２４４及び２５０の全ては、図１に示すように連れだって近接している。第４摺動支持体２５０が中央背骨２１２に沿って上向きに移動すると、図６に示す紐とプーリーによるシステムの構造のせいで、第１摺動支持体２３８は第４摺動支持体２５０によって２倍の距離だけ移動させられる。この選択肢において、紐２８８は、中央背骨２１２上の第４摺動支持体２５０よりも低い位置２８６に固定されている。そして、紐２８８は、第４摺動支持体２５０に取り付けられた第１プーリー２９０の周りを通って、中央背骨２１２に取り付けられた第２プーリー２９２の周りを通るように下降する。さらに、紐２８８は、中央背骨２１２の先端付近に取り付けられた第３プーリー２９４の周りを通って、最終的に位置２９６で第１摺動支持体２３８に固定されている。第１プーリー２９０を備えた第４摺動支持体２５０が動くと、第１プーリー２９０と固定点２８６の間の距離及び第１プーリー２９０と第２プーリー２９２の間の距離が増加し、それによって、これらの領域における紐２８８の長さが増加し、第２プーリー２９２と第３プーリー２９４の間の紐２８８の長さが利用可能になり、さらに、第３プーリー２９４と固定点２９６の間の長さが、第４摺動支持体２５０の移動量の２倍だけ短くなる。その結果、第１及び第２摺動支持体２３８及び２４２が離れるように動き、傘１０が開かれる。１つの摺動支持体を取手に対して中央背骨に沿って上向きに動かすという動作は、まさしく従来の傘がユーザーによって開かれる動作そのものである。